(57)【特許請求の範囲】
【請求項１】
室内側に内壁部を有する既設下枠に対して固定される取付補助部材と、既設下枠に対して取付補助部材を介して取付け固定される新設下枠を備え、
取付補助部材は、既設下枠の内外案内レールの上方に配置される上壁部と、上壁部の室外側に延設される室外壁部とを有し、
上壁部は、既設下枠の内案内レールに対してスペーサを介して載置されており、室外壁部は、既設下枠の上面に対してスペーサを介して載置されるとともに、既設下枠の外案内レールに対して長孔を介して固定されており、新設下枠は、既設下枠の内壁部の室外側に配置されていることを特徴とする改修用サッシ。
【請求項２】
室内側に内壁部を有する既設下枠に対して固定される取付補助部材と、既設下枠に対して取付補助部材を介して取付け固定される新設下枠を備え、
取付補助部材は、既設下枠の内外案内レールの上方に配置される上壁部と、上壁部の室外側に延設される室外壁部と、上壁部の室内側に設けられる垂下壁を有し、
室外壁部は、既設下枠の上面に対してスペーサを介して載置されるとともに、既設下枠の外案内レールに対して長孔を介して固定されており、垂下壁は、既設下枠の内案内レールよりも室内側の上面に対してスペーサを介して載置されており、新設下枠は、既設下枠の内壁部の室外側に配置されていることを特徴とする改修用サッシ。
【発明の詳細な説明】
【技術分野】
【０００１】
既設の窓部に対して、既設窓枠を取り除くことなく取付け固定される改修用サッシ枠に関する。
【背景技術】
【０００２】
老朽化して破損した建物の窓部を改修したり、破損はしていないものの防音性や気密性を向上させたりする目的のために、既設の窓枠を除去することなく新設のサッシ枠を組み込む改修工法が知られており、そのための様々な改修用サッシが公知となっている（特許文献１）。
【先行技術文献】
【特許文献】
【０００３】
【特許文献１】特開２００３−３２８６４５号
【発明の概要】
【発明が解決しようとする課題】
【０００４】
上記先行技術文献の改修用サッシ枠は、既設下枠の外レールを削除して、既設下枠の室内側に取り付けた小型の取付補助部材によって改修用下枠を支持することで、既設の窓枠に対して改修用窓枠を取付けるように構成されている。
このような改修用サッシにおいては、既設下枠の外レールを削除することから、施工が煩雑であった。また、既設下枠の形状によって、取付補助部材を変更しなくてはならず、部品の管理が煩雑であり、取付補助部材が室内側にのみ存在することから、改修用サッシは、既設下枠の室内側に配置された取付補助部材の上面と既設下枠の室外側上面とによってその荷重が支持されることとなり、改修用サッシを水平に配置して荷重を支えるためには、改修用窓枠の設置時に水平だし等を行う必要があり、施工が大変であった。
【０００５】
本発明は、上記の事情を鑑み、既設下枠に対する加工を少なくするとともに、同じ形状の取付補助部材によって様々な種類の既設下枠に対して、様々な窓種の改修用サッシを正確に配置して施工できる改修用サッシを提供することを目的とする。
【課題を解決するための手段】
【０００６】
本願の請求項１に係る発明は、室内側に内壁部を有する既設下枠に対して固定される取付補助部材と、既設下枠に対して取付補助部材を介して取付け固定される新設下枠を備え、取付補助部材は、既設下枠の内外案内レールの上方に配置される上壁部と、上壁部の室外側に延設される室外壁部とを有し、上壁部は、既設下枠の内案内レールに対してスペーサを介して載置されており、室外壁部は、既設下枠の上面に対してスペーサを介して載置されるとともに、既設下枠の外案内レールに対して長孔を介して固定されており、新設下枠は、既設下枠の内壁部の室外側に配置されていることを特徴とする。
本願の請求項２に係る発明は、室内側に内壁部を有する既設下枠に対して固定される取付補助部材と、既設下枠に対して取付補助部材を介して取付け固定される新設下枠を備え、取付補助部材は、既設下枠の内外案内レールの上方に配置される上壁部と、上壁部の室外側に延設される室外壁部と、上壁部の室内側に設けられる垂下壁を有し、室外壁部は、既設下枠の上面に対してスペーサを介して載置されるとともに、既設下枠の外案内レールに対して長孔を介して固定されており、垂下壁は、既設下枠の内案内レールよりも室内側の上面に対してスペーサを介して載置されており、新設下枠は、既設下枠の内壁部の室外側に配置されていることを特徴とする。
【発明の効果】
【０００７】
様々な種類の既設窓枠に対して、既設下枠に対する加工を最小限にしながら、同一の取付補助部材を用いて、様々な種類の改修用サッシを正確に配置して施工できる。
【図面の簡単な説明】
【０００８】
【図１】本発明の第１の実施形態に係る改修用サッシの縦断面図である。
【図２】本発明の第１の実施形態に係る改修用サッシの横断面図である。
【図３】本発明の第１の実施形態に係る改修用サッシの下枠部分の縦断面図である。
【図４】本発明の第１の実施形態に係る改修用サッシの取付補助部材を取り付けた状態の下枠部分の外観図である。
【図５】本発明の他の実施形態に係る改修用サッシの下枠部分の縦断面図である。
【図６】本発明の他の実施形態に係る改修用サッシの下枠部分の縦断面図である。
【図７】本発明の他の実施形態に係る改修用サッシの下枠部分の縦断面図である。
【図８】本発明の実施形態に係る改修用サッシの既設下枠に対する取付補助部材の取付けの形態を説明するための縦断面図であり、（ａ）は、既設下枠のレールが短い場合の取付形態であり、（ｂ）は、既設下枠のレールが破損等している場合の取付形態である。
【発明を実施するための形態】
【０００９】
本発明の実施形態の改修用サッシについて、図面を参考にして説明する。
−第１の実施形態−
（全体の構成）
本発明の実施形態に係る改修用サッシは、図１、２に示すように、建物開口部に設置されている既設窓枠１に対して、取付補助部材を介して固定されて施工されるものであり、既設窓枠１にほとんど加工を施すことなく改修用サッシを施工することができるものである。
なお、本実施形態に係る改修用サッシにより改修される既設窓枠１は、既設上枠１１，既設下枠１２及び左右の既設縦枠１３，１４を四周に組んでなり、既設下枠１２及び既設上枠１１に内障子及び外障子を案内する内外案内レール１２１ａ，１２１ｂが設けられる一般的な引き違い窓として構成されている。
改修用サッシは、新設窓枠２を構成する新設上枠２１，新設下枠２２、及び、左右の新設縦枠２３，２４とからなる新設窓枠２を有し、各新設枠はそれぞれ取付補助部材を介して、既設上枠１１，既設下枠１２及び左右の既設縦枠１３，１４に固定されるものである。
【００１０】
新設下枠２２と既設下枠１２との間に配置される取付補助部材５２は、アルミ材等の押出形材からなり、既設下枠１２の長手方向に沿って延びる長尺部材として形成されており、既設下枠１２の内外案内レール１２１ａ，１２１ｂの上方に配置される上壁部５２１と上壁部５２１の室外側より下方に垂設される室外壁部５２２とからなる断面略Ｌ字状の長尺部材として形成されている。
そして、取付補助部材５２は、既設下枠１２の内案内レール１２１ａの上面にスペーサｓ１を介して上壁部５２１が載置されると共に、既設下枠１２の外案内レール１２１ｂに室外壁部５２２に形成した長孔を介してネジ等の固定手段で固定することにより、上壁部５２１の上面が水平な基準面となるように既設下枠１２に対して固定されている。
【００１１】
新設上枠２１及び左右の新設縦枠２３，２４と既設上枠１１及び左右の既設縦枠１３，１４との間に配置される取付補助部材５１，５３，５４は、アルミ材等の押出形材からなり、既設上枠１１及び左右の既設縦枠１３，１４の内周に配置され、略面一の内周面を形成する内周壁部５１１，５３１，５４１と、内周壁部５１１，５３１，５４１の外周面に設けられる内外挿入片とから構成されている。
そして、既設上枠１１及び左右の既設縦枠１３，１４の内外壁部により形成される内周部に対して内外挿入片を挿入すると共に、内挿入辺片５１２，５３２，５４２を既設上枠１１及び左右の既設縦枠１３，１４の内壁部１１２，１３２，１４２にネジ等により固定することで、既設上枠１１及び左右の既設縦枠１３，１４に対して固定されている。
【００１２】
改修用サッシは、新設下枠２２に設けられた内外案内レール２２１ａ，２２１ｂに内障子３及び外障子４を摺動自在に支持してなる内内外しタイプのサッシであり、新設上枠２１，新設下枠２２及び左右の新設縦枠２３，２４を四周に組んだ状態で各取付補助部材５１，５２，５３，５４が固定された既設窓枠１に対して屋外側より嵌め込むことにより建物開口部に設置することができる。
その際、既設下枠１２に対して固定された取付補助部材５２の上壁部５２１上面を基準面として新設下枠２２が直接載置固定され、既設上枠１１及び左右の既設縦枠１３，１４に対して固定された取付補助部材５１，５３，５４と新設上枠２１及び左右の新設縦枠２３，２４とがスペーサｓを介して固定されることで、改修用サッシを簡単な作業により水平だしした状態で固定することができる。
固定された新設窓枠２と既設窓枠１との室内側の接続部分は、合成樹脂等により形成された額部材６１，６２，６３，６４によって覆われるとともに、室外側の接続部分は、新設窓枠２に設けられた気密材７１，７３，７４によって気密されている。
【００１３】
以下、本発明の改修用サッシの特徴部分である新設下枠の取付け構造について、図３，４を参考に、さらに詳細に説明する。
（下枠部の構成）
本実施形態において、既設下枠１２は、内外案内レール１２１ａ，１２１ｂを有する底壁１２１と、底壁１２１の室内側から立ち上がる内壁部１２２と、底壁１２１の室外側端から下方に向けて連続する前壁部１２３とを有し、内壁部１２２の上端には室内側に向けて額部１２４が連設されている。
【００１４】
新設下枠２２は、アルミ材等の押出形材からなり、内外障子３，４を摺動自在に案内する内外案内レール２２１ａ，２２１ｂを有する底壁２２１と、底壁２２１の室内側に上方に向けて設けられる内壁部２２２と、底壁２２１の室外側に設けられる前壁部２２３とからなり、内案内レール２２１ａに対して外案内レール２２１ｂを高く形成することで、室内側から外障子４を外すことができるように構成されている。
底壁２２１上面の内外案内レール２２１ａ，２２１ｂの間には中壁部２２１ｃが立設され、その上端室外側面に外障子４の下框に当接する気密材が配置されているとともに、内壁部２２２の上端室外側面に内障子３の下框に当接する気密材が配置されることにより、改修用サッシの下枠部分の気密がなされている。
【００１５】
底壁２２１の室内側の下面には、後述する取付補助部材５２の上面に載置される内脚部２２４が垂設され、その下端部分は室外側に屈曲されている。底壁２２１の内案内レール２２１ａよりも室外側の下面には、内脚部２２４の下端位置とその下端を同一高さとする外脚部２２５が垂設されており、室内側の内脚部２２４と室外側の外脚部２２５とにより取付補助部材５２の上面に対して見込み方向で所定幅を有して載置される載置部が構成されている。内脚部２２４と外脚部２２５との間には、垂下部２２１ｄが垂下されており、通常は取付補助部材５２の上面に当接してはいないが、新設下枠２２が荷重により撓むなどした際には取付補助部材５２の上面に当接して新設下枠２２にかかる荷重を取付補助部材５２により支持することができる
前壁部２２３は、外案内レール２２１ｂの室外側面より連続して形成され、その下方室内側面には、既設下枠１２の底壁１２１の上面に当接する当接片２２３ａが形成されているとともに、下端近傍には、既設下枠１２の前壁部１２３に固定される外れ止め部材１２３ａに係止可能な係止爪部２２３ｂが形成されている。
【００１６】
取付補助部材５２は、図３に示すように、既設下枠１２の底壁１２１の内外案内レール１２１ａ，１２１ｂの上方位置に配置される上壁部５２１と、上壁部の室外側の下面から垂下される室外壁部５２２とからなる断面略Ｌ字状の長尺部材として形成されており、上壁部５２１の室内側端部近傍の下面には、下端が室内側に屈曲してなる垂下壁５２１ａが設けられるとともに、垂下壁５２１ａよりやや室外側位置には、取付補助部材５２の上壁部５２１の裏面に配置されるスペーサｓ１の見込み方向位置を決める突条５２１ｂが設けられている。
上壁部５２１は、その上面が外案内レール１２１ｂの上方位置から内案内レール１２１ａの室内側に至る見込み方向幅を有し、その上面は略面一に形成されている。
室外壁部５２２は、図４に示すように、その長手方向（左右方向）の２箇所において上下方向に延びその下端が開放されている長孔５２２ａ，５２２ａが形成されており、長孔５２２ａ，５２２ａを介してネジ等の固着手段により既設下枠１２の外案内レール１２１ｂに上下位置調節自在に固定することができる。また、室外壁部５２２の適宜位置には、ネジによる固定部（ネジ孔）５２２ｂ，５２２ｂ・・が形成されており、長孔５２２ａ，５２２ａにより上下位置を調節して既設下枠１２の外案内レール１２１ｂに固定された取付補助部材５２をさらにネジ等により固定することができる。
【００１７】
取付補助部材５２を既設下枠１２に固定するに際しては、改修用サッシの内外障子３，４の戸車の位置（４箇所）に合わせて、取付補助部材５２の上壁部５２１の下面に所定枚数のスペーサｓ１を重ねて取付ける。このとき、スペーサｓ１の室内側端部を上壁部５２１の下面に設けた突条５２１ｂに当接させることで、スペーサｓ１は所望の位置に取付けることができる。
そして、スペーサｓ１が既設下枠１２の内案内レール１２１ａの上面に位置するように取付補助部材５２を配置するとともに、既設下枠１２の外案内レール１２１ｂに形成されたネジ孔に対して取付補助部材５２の室外壁部５２２に形成された長孔５２２ａ，５２２ａを介してネジ等により固定することで、内案内レール１２１ａにスペーサｓ１を介して載置支持された取付補助部材５２の室内側の高さに合わせて、上壁部５２１の上面が水平となるように上下位置調節して固定することができる。
【００１８】
上面が水平となるように取付けられた取付補助部材５２の上壁部５２１に対して、新設下枠２２が内脚部２２４及び外脚部２２５により載置されることで、改修用サッシは見込み方向に幅を有する２点で取付補助部材５２上に直接支持されることとなるので、載置の際の特別な水平だし調節等を必要とすることなく、既設窓枠１に対して新設窓枠２を正確に配置することができる。
【００１９】
（新設窓枠の取付固定方法）
本実施形態の改修用サッシの新設窓枠の取付固定方法について説明する。
（１）既設下枠１２に対して、取付補助部材５２を取り付ける。
まず、取付補助部材５２を、上壁部５２１の下面に取付られたスペーサｓ１が既設下枠１２の内案内レール１２１ａ上に配置されるように既設下枠１２に載置する。その際、既設下枠１２の外案内レール１２１ｂの室外側上面には、新設下枠２２の前壁部２２３に形成された当接片２２３ａを載置支持するためのスペーサｓ２を前もって取付けておき、スペーサｓ２の上面に取付補助部材５２の室外壁部５２２の下端を載置して取付補助部材５２の上面を概ね水平に支持することで、取付補助部材５２の固定作業を補助することができる。
そして、外案内レール１２１ｂの室外側面に取付補助部材５２の室外壁部５２２の室内側面を当接させ、取付補助部材５２の上面が水平な基準面となるように調節した後に、室外壁部５２２の長孔５２２ａ，５２２ａを介して既設下枠１２の外案内レール１２１ｂに対してネジ等により固定する。外案内レール１２１ｂの室外側面が平坦な面でない場合など、外案内レール１２１ｂの形状によって室外壁部５２２が安定して固定ができないときには、外案内レール１２１ｂの室外側面と室外壁部５２２との間に適宜スペーサｓ３を配置するなどして、室外壁部５２２を安定して固定することが好ましい。
【００２０】
（２）既設上枠１１及び左右の既設縦枠１３，１４に対して、取付補助部材５１，５３，５４を取り付ける。
既設上枠１１及び左右の既設縦枠１３，１４の内外壁部により形成される内周部に対して、取付補助部材５１，５３，５４の内外挿入片を挿入すると共に、内挿入辺片５１２，５３２，５４２を既設上枠１１及び左右の既設縦枠１３，１４の内壁部１１２，１３２，１４２にネジ等により固定することで、取付補助部材５１，５３，５４を取付ける。
これにより、既設上枠１１及び左右の既設縦枠１３，１４の内周に、取付補助部材５１，５３，５４の内周壁部５１１，５３１，５４１によって略面一の内周面が形成される。
【００２１】
（３）取付補助部材５１，５２，５３，５４が取り付けられた既設窓枠１に対して、その室外側から新設窓枠２を挿入し、固定する。
新設窓枠２は、新設下枠２２、新設上枠２１及び左右の新設縦枠２３、２４を予め四周に組んであり、各取付補助部材が取付けられた既設窓枠１に対して、その室外側から挿入する。なお、新設窓枠２の挿入に先立って、既設下枠１２の前壁部１２３には、外れ止め部材１２３ａがネジ等により固定されており、また、新設下枠２２と既設下枠１２の１２２との間には、既設下枠１２の形状に応じて適宜枚数のスペーサｓ４が配置されている。
新設窓枠２を挿入することにより、新設下枠２２の内脚部２２４及び外脚部２２５が取付補助部材５２の上面に載置され、新設下枠２２の前壁部２２３の当接片２２３ａがスペーサｓ２の上面に載置されることで、新設窓枠２を安定して配置することができる。特に、見込み方向に所定間隔で配置された室内側の内脚部２２４と室外側の外脚部２２５が水平基準面となる取付補助部材５２の上面に直接支持されるので、比較的大きく重い新設窓枠２の挿入取付時に特別な位置決めや水平だしを行う必要がなく、様々な形状の既設窓枠１に対して、単に新設窓枠２を挿入することにより、正確な姿勢で新設窓枠２を配置することができる。
そして、新設窓枠２の新設上枠２１及び左右の新設縦枠２３，２４と各取付補助部材５１，５３，５４との間に、適宜スペーサｓを配置して、新設下枠２２，新設上枠２１及び左右の新設縦枠２３，２４と各取付補助部材５１，５２，５３，５４とをネジ等の固定手段により固定することにより、新設窓枠２を既設窓枠１に対して取付固定する。
その後、既設窓枠１と新設窓枠２との間を気密テープｔにより覆うなど気密処理を行うと共に、さらに額部材６１、６２，６３，６４により覆うなど仕上げ処理を行い、改修用サッシによる改修作業を完了する。
【００２２】
−他の実施形態−
図５乃至７に、本発明の他の実施形態の改修用サッシを示す。
図５乃至７に示す改修用サッシは、ＦＩＸタイプの改修用サッシ（図５）、内外案内レール２２１ａ、２２１ｂの高さが同じであるフラットタイプの改修用サッシ（図６）、案内レールを突出させないノンレールタイプの改修用サッシ（図７）であり、いずれも下枠部分を示している。
既設下枠１２に固定される取付補助部材５２は同一のものを使用しており、新設下枠２２に形成される内脚部２２４及び外脚部２２５の位置、及び、新設下枠２２を取付補助部材５２に固定する固定手段（ネジ）の位置に相違が見られる。
いずれのタイプの改修用サッシであっても、見込み方向に所定間隔を有して形成された内脚部２２４及び外脚部２２５とにより取付補助部材５２の水平な上面に支持することができ、安定した施工を可能としている。
【００２３】
図８（ａ），（ｂ）に、本発明の更に他の実施形態の改修用サッシの取付補助部材の取付構造を示す。
図８（ａ）に示す実施形態は、既設下枠１２の内外案内レール１２１ａ，１２１ｂが短い場合、若しくは、内壁部１２２が高い場合を示している。そのため、取付補助部材５２の下面に取付けるスペーサｓ１の枚数を増やして既設下枠１２の内壁部１２２の上端と取付け補助部材の上面との高さ方向の差を、図３に示す実施形態と同程度となるように調節している。
また、外案内レール１２１ｂの室外側面には垂直な平面が存在しているので、外案内レール１２１ｂの室外側面にスペーサｓ３を配置することなく、取付補助部材５２の室外壁部５２２の室内側面を直接当接させて固定している。
図８（ｂ）に示す実施形態は、既設下枠１２の内案内レール１２１ａが屈曲等破損している場合を示している。内案内レール１２１ａにより取付補助部材５２の上壁部５２１の下面が良好に載置できないため、上壁部５２１の室内側下面に形成された垂下壁５２１ａをスペーサｓ５を介して既設下枠１２の上面に載置することにより、取付補助部材５２の室内側を支持している。
【００２４】
−実施形態の改修用サッシによる作用効果−
以上のように、本発明の実施形態に係る改修用サッシにおいては、既設下枠のレールを切除するなど特別な加工を施すことなく、様々な形状や状態の既設下枠に対して、同一の取付補助部材により様々な窓種の改修用サッシを取付けることができ、また、取付補助部材によって、改修用サッシを載置支持する水平な上面（基準面）を形成することができるので、新設窓枠を既設窓枠に挿入して固定する際には、特別な位置決め等の作業が必要無く、施工を容易にすることできる。
【符号の説明】
【００２５】
１        ：既設窓枠
１１      ：既設上枠
１１２    ：内壁部
１２      ：既設下枠
１２１    ：底壁
１２１ａ  ：内案内レール
１２１ｂ  ：外案内レール
１２２    ：内壁部
１２３    ：前壁部
１２３ａ  ：止め部材
１２４    ：額部
１３      ：既設縦枠
１３２    ：内壁部
１４      ：既設縦枠
１４２    ：内壁部
２        ：新設窓枠
２１      ：新設上枠
２２      ：新設下枠
２２１    ：底壁
２２１ａ  ：内案内レール
２２１ｂ  ：外案内レール
２２１ｃ  ：中壁部
２２１ｄ  ：垂下部
２２２    ：内壁部
２２３    ：前壁部
２２３ａ  ：当接片
２２３ｂ  ：係止爪部
２２４    ：内脚部
２２５    ：外脚部
２３，２４：新設縦枠
３        ：内障子
４        ：外障子
５１      ：取付補助部材
５１１    ：内周壁部
５１２    ：内挿入辺片
５２      ：取付補助部材
５２１    ：上壁部
５２１ａ  ：垂下壁
５２１ｂ  ：突条
５２２    ：室外壁部
５２２ａ  ：長孔
５３      ：取付補助部材
５３１    ：内周壁部
５３２    ：内挿入辺片
５４      ：取付補助部材
５４１    ：内周壁部
５４２    ：内挿入辺片
６１      ：額部材
６２      ：額部材
６３      ：額部材
６４      ：額部材
７１      ：気密材
７３      ：気密材
７４      ：気密材
ａ        ：気密材
ｓ        ：スペーサ
ｓ１      ：スペーサ
ｓ２      ：スペーサ
ｓ３      ：スペーサ
ｓ４      ：スペーサ
ｓ５      ：スペーサ
ｔ        ：気密テープ
【図１】
0006510313.tif 000002
【図２】
0006510313.tif 000003
【図３】
0006510313.tif 000004
【図４】
0006510313.tif 000005
【図５】
0006510313.tif 000006
【図６】
0006510313.tif 000007
【図７】
0006510313.tif 000008
【図８】
0006510313.tif 000009